(57)【要約】【課題】  弁ケーシングを貫通させずに排出通路内に配置した操作部材を外部から進退操作する。【解決手段】  本体１と蓋２で弁ケーシングを形成する。弁ケーシングに入口５と弁室４と出口７を形成する。弁室４を出口７側に連通する排出通路８を有する弁座部材９を設ける。弁室４内に弁座部材９に離着座して排出通路８を開閉する弁部材としてのフロート１１を配置する。外部から近付けられるあるいは遠ざけらける外部磁石により排出通路８の軸方向に変位する内部磁石１５を排出通路８の出口２側の弁ケーシング内に配置する。排出通路８内を進退可能な操作部材１６を内部磁石１５に連結する。外部磁石を弁ケーシングの外部から近付けたり遠ざけたりすることにより、内部磁石１５を変位させて操作部材１６で排出通路８の内面に付着した異物を掃除する。【選択図】      図１
2007187254.tif 000002
【特許請求の範囲】
【請求項１】
弁ケーシングで入口と弁室と出口を形成し、弁室を出口側に連通する排出通路を有する弁座部材を設け、弁室内に弁座部材に離着座して排出通路を開閉する弁部材を配置し、排出通路内に進退可能な操作部材を配置し、操作部材の進退により排出通路の内面に付着した異物を掃除するものにおいて、外部から近付けられるあるいは遠ざけらける外部磁石により排出通路の軸方向に変位する内部磁石を排出通路の出口側の弁ケーシング内に配置し、内部磁石に操作部材を連結して内部磁石の変位により操作部材を進退させることを特徴とするドレントラップ。
【発明の詳細な説明】
【技術分野】
【０００１】
本発明は、蒸気や圧縮空気やガス配管系に発生するドレンを自動的に排出するドレントラップに関し、特に弁部材が離着座して開閉する弁座部材の排出通路の内面に付着した流体中の異物を掃除できるものに関する。
【背景技術】
【０００２】
従来のドレントラップは、弁ケーシングで入口と弁室と出口を形成し、弁室を出口側に連通する排出通路を有する弁座部材を設け、弁室内に弁座部材に離着座して排出通路を開閉する弁部材を配置し、外部から進退操作可能な操作部材を排出通路内に弁ケーシングを貫通して配置したもので、外部から操作部材を進退させることにより排出通路の内面に付着した異物を掃除するものである。
【０００３】
上記従来のドレントラップは、弁ケーシングを貫通して操作部材を配置したものであるので、弁ケーシングと操作部材の間の気密を保つシール部材を必要とする。そして、このシール部材が劣化してくると、操作部材を外部から進退操作させたときに、弁ケーシング内の流体が外部に噴出し、スチームトラップの場合は火傷する危険があった。
【特許文献１】実公昭４９−３６７４７号公報
【発明の開示】
【発明が解決しようとする課題】
【０００４】
解決しようとする課題は、弁ケーシングを貫通させずに排出通路内に配置した操作部材を外部から進退操作できるようにすることである。
【課題を解決するための手段】
【０００５】
本発明は、弁ケーシングで入口と弁室と出口を形成し、弁室を出口側に連通する排出通路を有する弁座部材を設け、弁室内に弁座部材に離着座して排出通路を開閉する弁部材を配置し、排出通路内に進退可能な操作部材を配置し、操作部材の進退により排出通路の内面に付着した異物を掃除するものにおいて、外部から近付けられるあるいは遠ざけらける外部磁石により排出通路の軸方向に変位する内部磁石を排出通路の出口側の弁ケーシング内に配置し、内部磁石に操作部材を連結して内部磁石の変位により操作部材を進退させることを特徴とする。
【発明の効果】
【０００６】
本発明は、外部から近付けられるあるいは遠ざけらける外部磁石により、内部磁石を変位させることにより操作部材を進退させるものであるので、弁ケーシングを貫通させずに排出通路内に配置した操作部材を外部から進退操作し、弁座部材の排出通路の内面に付着した流体中の異物を掃除できるという優れた効果を生じる。
【発明を実施するための最良の形態】
【０００７】
本発明のドレントラップは、外部から近付けられるあるいは遠ざけらける外部磁石により排出通路の軸方向に変位する内部磁石を排出通路の出口側の弁ケーシング内に配置し、内部磁石に操作部材を連結して内部磁石の変位により操作部材を進退させるものである。そのため、弁ケーシングの外部から外部磁石を近付けたり遠ざけたりすることにより、排出通路の出口側の弁ケーシング内に配置した内部磁石が排出通路の軸方向に変位し、排出通路内に配置した操作部材を進退させ、弁座部材の排出通路の内面に付着した流体中の異物を掃除する。そのため、弁ケーシングを貫通させずに排出通路内に配置した操作部材を外部から進退操作できる。
【実施例１】
【０００８】
上記の技術的手段の具体例を示す実施例を説明する（図１参照）。本体１に蓋２をボルト３で締結して弁ケーシング形成し、内部に弁室４を形成する。本体１は入口５と出口通路６と出口７を有し、入口５は弁室４の上部に連通する。入口５と出口７は同一軸上に形成する。弁室４の下部の蓋２に排出通路８を開けた弁座部材９をねじ結合する。排出通路８は弁室４側端の小径の先端部８ａと、先端部８ａの下流の下流に向かって径の拡がったテーパー部８ｂと、テーパー部８ｂの下流の大径の後端部８ｃから成る。蓋２は出口通路１０を有し、弁室４の下部は排出通路８から出口通路１０，６を介して出口７に連通する。弁室４内に弁座部材９の弁室側端面９ａに離着座して排出通路８を開閉する弁部材としての中空球形のフロート１１を自由状態で配置する。フロート１１が排出通路８を閉じた位置で当接するフロート座１２をフロート１１の下方に、図面の手前側と向う側に２つ設ける。
【０００９】
蓋２に弁座部材９と同一軸上にプラグ１３をねじ結合する。プラグ１３に収容凹部１４を形成し、収容凹部１４に排出通路８の軸方向に変位可能に内部磁石１５を収容する。排出通路８内を進退可能な操作部材１６を内部磁石１５に固着する。弁座部材９と内部磁石１５との間に内部磁石１５を排出通路８から遠ざける方向に付勢するコイルバネ１７を配置する。内部磁石１５は図示しない外部磁石が弁ケーシングの外部から近付けられると、コイルバネ１７の付勢力に抗して排出通路８方向に変位し、操作部材１６の先端部１６ａを弁室４内に突出させ、外部磁石が遠ざけられると、コイルバネ１７の付勢力により排出通路８から遠ざかる方向に変位し、操作部材１６の先端部１６ａを排出通路８の後端部８ｃ内に変位させる。操作部材１６の先端部１６ａの外径は排出通路８の先端部８ａの内径よりも僅かに小径に形成し、前進により先端部１６ａで排出通路８の先端部８ａの内面を掃除する。
【００１０】
入口５から流入したドレンは弁室４内に溜り、液面に応じてフロート１１が浮上降下して弁座部材９に離着座して排出通路８を開閉する。排出通路８が開けられると弁室４内のドレンが排出通路８、出口通路６，１０を通して出口７に排出され、排出通路８が閉じられると弁室４内の気体の漏出が防止される。
【００１１】
弁座部材９の排出通路８の先端部８ａ内面に付着した異物を掃除する場合、図示しない外部磁石を弁ケーシングの外部から近付け、内部磁石１５を排出通路８方向に変位させて操作部材１６の先端部１６ａを弁室４内に突出させる。これにより、操作部材１６の先端部１６ａで排出通路８の先端部８ａの内面に付着した異物を掃除する。内部磁石１５は外部磁石が遠ざけられると、排出通路８から遠ざかる方向に変位し、操作部材１６の先端部１６ａを排出通路８の後端部８ｃ内に変位させる。
【図面の簡単な説明】
【００１２】
【図１】本発明のフロート式ドレントラップの断面図である。
【符号の説明】
【００１３】
１  本体
２  蓋
４  弁室
５  入口
７  出口
８  排出通路
８ａ  排出通路の先端部
９  弁座部材
１１  フロート
１５  内部磁石
１６  操作部材
１６ａ  操作部材の先端部
１７  コイルバネ
【図１】
2007187254.tif 000003